(57)【要約】【課題】扉を確実かつ容易に閉じることができると共に、扉の密閉不良を低減できる冷蔵庫を提供する。【解決手段】扉引き込みバネ７Ａは、ヒンジピン４に対して、扉２を閉じる方向のモーメントを付与する。これにより、扉２を自発的に閉じることができて、ユーザの扉２を閉じる力が弱くても、扉２を確実かつ容易に閉じることができる。また、扉２が、経年などによって、ねじれて変形して、扉２に設けられた磁石が冷蔵庫本体１から離隔し、この磁石の冷蔵庫本体１に対する磁力が弱くなっても、扉２の密閉不良を低減できる。【選択図】図３Ｂ
2014013109.tif 000002
【特許請求の範囲】
【請求項１】
冷蔵庫本体と、
扉と、
上記扉の上部の左右両側に択一的に取り付けられて、上記扉を上記冷蔵庫本体に対して回転可能に取り付けるヒンジピンと、
上記冷蔵庫本体の上部に取り付けられた扉引き込みバネと
を備え、
上記ヒンジピンが上記扉に取り付けられた状態で、上記扉と上記ヒンジピンは、上記ヒンジピンの軸回り方向に相互に位置決めされ、
上記扉引き込みバネは、上記ヒンジピンに対して、上記扉を閉じる方向のモーメントを付与することを特徴とする冷蔵庫。
【請求項２】
請求項１に記載の冷蔵庫において、
上記扉の閉状態から開状態への移行時に上記扉引き込みバネが上記ヒンジピンに付与する上記モーメントは、上記扉の閉状態に上記扉引き込みバネが上記ヒンジピンに付与する上記モーメントよりも、大きいことを特徴とする冷蔵庫。
【請求項３】
請求項１または２に記載の冷蔵庫において、
上記扉の閉状態に上記扉引き込みバネが上記ヒンジピンに付与する上記モーメントは、略ゼロであることを特徴とする冷蔵庫。
【請求項４】
請求項１から３の何れか一つに記載の冷蔵庫において、
上記ヒンジピンの軸方向からみて、上記扉引き込みバネは、上記ヒンジピンの周囲に、接触し、
上記ヒンジピンの軸から上記ヒンジピンの上記扉引き込みバネとの接点までの距離は、上記扉の開度が０°から第１角度まで変化するに従って、大きくなることを特徴とする冷蔵庫。
【請求項５】
請求項４に記載の冷蔵庫において、
上記ヒンジピンの軸方向からみて、上記扉引き込みバネは、上記ヒンジピンの周囲に、接触し、
上記ヒンジピンの軸から上記ヒンジピンの上記扉引き込みバネとの接点までの距離は、上記扉の開度が上記第１角度から上記第１角度よりも大きな第２角度まで変化するに従って、小さくなることを特徴とする冷蔵庫。
【発明の詳細な説明】
【技術分野】
【０００１】
この発明は、扉の左右開きを変更することができる冷蔵庫に関する。
【背景技術】
【０００２】
従来、冷蔵庫としては、特開２００７−８５６１４号公報（特許文献１）に開示されたものがある。この冷蔵庫は、冷蔵庫本体と、扉と、扉の上部の左右両側に択一的に取り付けられて扉を冷蔵庫本体に対して回転可能に取り付けるヒンジピンとを備えている。
【０００３】
そして、上記ヒンジピンを上記扉の左右に択一的に取り付けることで、扉の左右開きを容易に変更することができる。
【先行技術文献】
【特許文献】
【０００４】
【特許文献１】特開２００７−８５６１４号公報
【発明の概要】
【発明が解決しようとする課題】
【０００５】
しかしながら、上記従来の冷蔵庫では、上記扉に設けられた磁石の力だけで、扉を冷蔵庫本体に密着させているため、ユーザの扉を閉じる力が弱い場合、扉を確実に閉じることができない問題がある。
【０００６】
また、扉が、経年などによって、ねじれて変形すると、扉の磁石が冷蔵庫本体から離隔し、磁石の冷蔵庫本体に対する磁力が弱くなって、扉（特に、扉のコーナー部）が密閉不良になる問題がある。
【０００７】
そこで、この発明の課題は、扉を確実かつ容易に閉じることができると共に、扉の密閉不良を低減できる冷蔵庫を提供することにある。
【課題を解決するための手段】
【０００８】
上記課題を解決するため、この発明の冷蔵庫は、
冷蔵庫本体と、
扉と、
上記扉の上部の左右両側に択一的に取り付けられて、上記扉を上記冷蔵庫本体に対して回転可能に取り付けるヒンジピンと、
上記冷蔵庫本体の上部に取り付けられた扉引き込みバネと
を備え、
上記ヒンジピンが上記扉に取り付けられた状態で、上記扉と上記ヒンジピンは、上記ヒンジピンの軸回り方向に相互に位置決めされ、
上記扉引き込みバネは、上記ヒンジピンに対して、上記扉を閉じる方向のモーメントを付与することを特徴としている。
【０００９】
この発明の冷蔵庫によれば、上記扉引き込みバネを有するので、扉を自発的に閉じることができて、ユーザの扉を閉じる力が弱くても、扉を確実かつ容易に閉じることができる。
【００１０】
また、上記扉引き込みバネは、ヒンジピンに対して、扉を閉じる方向のモーメントを付与するので、扉が、経年などによって、ねじれて変形して、扉に設けられた磁石が冷蔵庫本体から離隔し、この磁石の冷蔵庫本体に対する磁力が弱くなっても、扉の密閉不良を低減できる。
【００１１】
また、一実施形態の冷蔵庫では、上記扉の閉状態から開状態への移行時に上記扉引き込みバネが上記ヒンジピンに付与する上記モーメントは、上記扉の閉状態に上記扉引き込みバネが上記ヒンジピンに付与する上記モーメントよりも、大きい。
【００１２】
この実施形態の冷蔵庫によれば、上記扉の閉状態から開状態への移行時の上記扉引き込みバネのモーメントは、上記扉の閉状態の上記扉引き込みバネのモーメントよりも、大きいので、上記扉の閉状態を保持できる。
【００１３】
また、一実施形態の冷蔵庫では、上記扉の閉状態に上記扉引き込みバネが上記ヒンジピンに付与する上記モーメントは、略ゼロである。
【００１４】
この実施形態の冷蔵庫によれば、上記扉の閉状態の上記扉引き込みバネのモーメントは、略ゼロであるので、扉の閉状態で、ヒンジピンには、扉引き込みバネの抵抗を受けない。したがって、扉の閉状態でヒンジピンを扉の左右に付け替えるときに、付け替え時の作業性が良好となる。
【００１５】
また、一実施形態の冷蔵庫では、
上記ヒンジピンの軸方向からみて、上記扉引き込みバネは、上記ヒンジピンの周囲に、接触し、
上記ヒンジピンの軸から上記ヒンジピンの上記扉引き込みバネとの接点までの距離は、上記扉の開度が０°から第１角度まで変化するに従って、大きくなる。
【００１６】
ここで、扉の開度とは、扉の閉状態を０°とした扉の回転角度であり、扉を開けるにつれて大きくなる。
【００１７】
この実施形態の冷蔵庫によれば、上記扉の開度が０°から第１角度まで大きくなるに従って、ヒンジピンの軸からヒンジピンの扉引き込みバネとの接点までの距離は、大きくなるので、ヒンジピンに付与する扉引き込みバネのモーメントを大きくできる。これによって、扉の開度が大きくて扉を閉じにくい状態で、扉を容易に閉じることができる。
【００１８】
また、一実施形態の冷蔵庫では、
上記ヒンジピンの軸方向からみて、上記扉引き込みバネは、上記ヒンジピンの周囲に、接触し、
上記ヒンジピンの軸から上記ヒンジピンの上記扉引き込みバネとの接点までの距離は、上記扉の開度が上記第１角度から上記第１角度よりも大きな第２角度まで変化するに従って、小さくなる。
【００１９】
この実施形態の冷蔵庫によれば、上記扉の開度が第１角度から第２角度まで大きくなるに従って、ヒンジピンの軸からヒンジピンの扉引き込みバネとの接点までの距離は、小さくなるので、ヒンジピンに付与する扉引き込みバネのモーメントを小さくできる。これによって、扉の開度が第１角度から第２角度までの範囲で、扉の開状態を保持できて、食品の出し入れを容易に行うことができる。
【発明の効果】
【００２０】
この発明の冷蔵庫によれば、上記扉引き込みバネは、ヒンジピンに対して、扉を閉じる方向のモーメントを付与するので、扉を確実かつ容易に閉じることができると共に、扉の密閉不良を低減できる。
【図面の簡単な説明】
【００２１】
【図１】本発明の第１実施形態の冷蔵庫を示す縦断面図である。
【図２Ａ】冷蔵庫本体の上側の平面図である。
【図２Ｂ】冷蔵庫本体の下側の平面図である。
【図３Ａ】扉の閉状態の扉引き込みバネおよびヒンジピンの状態を示す平面図である。
【図３Ｂ】扉の開状態の扉引き込みバネおよびヒンジピンの状態を示す平面図である。
【図４Ａ】本発明の第２実施形態の冷蔵庫を示すと共に、扉の閉状態の扉引き込みバネおよびヒンジピンの状態を示す平面図である。
【図４Ｂ】扉の開度が１５°であるときの扉引き込みバネおよびヒンジピンの状態を示す平面図である。
【図４Ｃ】扉の開度が４５°であるときの扉引き込みバネおよびヒンジピンの状態を示す平面図である。
【図４Ｄ】扉の開度が９０°であるときの扉引き込みバネおよびヒンジピンの状態を示す平面図である。
【図４Ｅ】扉の開度が１３５°であるときの扉引き込みバネおよびヒンジピンの状態を示す平面図である。
【図５Ａ】本発明の第３実施形態の冷蔵庫を示すと共に、扉の閉状態の扉引き込みバネおよびヒンジピンの状態を示す平面図である。
【図５Ｂ】扉の開度が１５°であるときの扉引き込みバネおよびヒンジピンの状態を示す平面図である。
【図５Ｃ】扉の開度が４５°であるときの扉引き込みバネおよびヒンジピンの状態を示す平面図である。
【図５Ｄ】扉の開度が９０°であるときの扉引き込みバネおよびヒンジピンの状態を示す平面図である。
【図５Ｅ】扉の開度が１３５°であるときの扉引き込みバネおよびヒンジピンの状態を示す平面図である。
【発明を実施するための形態】
【００２２】
以下、この発明を図示の実施の形態により詳細に説明する。
【００２３】
（第１の実施形態）
図１は、この発明の冷蔵庫の第１実施形態である縦断面図を示している。この冷蔵庫は、冷蔵庫本体１と、扉２と、扉２の上部の左右両側に択一的に取り付けられて扉２を冷蔵庫本体１に対して回転可能に取り付けるヒンジピン４と、冷蔵庫本体１の上部に取り付けられた扉引き込みバネ７Ａ，７Ｂとを備える。
【００２４】
上記冷蔵庫本体１の扉２の上側には、ヒンジ保持部材３が設けられている。上記ヒンジピン４は、扉２をヒンジ保持部材３に対して回転可能に取り付ける。一方、冷蔵庫本体１の扉２の下側には、下ヒンジ部６が配置されている。下ヒンジ部６は、扉２を冷蔵庫本体１に対してヒンジピン４の軸Ｌ回りに回転可能に取り付ける。つまり、扉２は、ヒンジピン４の軸Ｌ回りに回転し、冷蔵庫本体１に対して開閉可能になる。
【００２５】
上記冷蔵庫本体１の上部には、カバー部材５が取り付けられる。カバー部材５は、ヒンジ保持部材３およびヒンジピン４を覆う。
【００２６】
この冷蔵庫は、上記冷蔵庫本体１の上面がテーブル面として利用される、いわゆるテーブル型冷蔵庫である。なお、扉を上下に複数個並列した冷蔵庫であって、この複数の扉の何れかに、上記ヒンジピンや上記扉引き込みバネを用いてもよい。
【００２７】
上記扉２は、左右両側のそれぞれの上部（上面）に取付孔２０を有する。なお、図示しないが、この取付孔２０は、上記扉２の本体に形成された孔部と、この扉２の本体の孔部に嵌合される筒部材の孔部とを含むようにしてもよい。
【００２８】
図１と図２Ａに示すように、上記ヒンジ保持部材３は、冷蔵庫本体１の左右両側のそれぞれに設けられている。ヒンジ保持部材３は、プレート状であり、冷蔵庫本体１の上面に、ねじ等にて取り付けられている。ヒンジ保持部材３は、扉２の取付孔２０の上側でこの取付孔２０に重なる貫通孔３０を有する。この貫通孔３０には、冷蔵庫本体１のボス部１０が嵌め込まれている。なお、図２Ａでは、カバー部材５を省略して描いており、ヒンジピン４は、右側のヒンジ保持部材３に差し込まれている。
【００２９】
上記ヒンジピン４は、ヒンジ保持部材３の貫通孔３０の上側から、この貫通孔３０の内側にあるボス部１０の孔部に挿通され、扉２の取付孔２０に抜き取り自在に差し込まれて、扉２を冷蔵庫本体１に対して回転可能に取り付ける。
【００３０】
図１と図２Ｂに示すように、上記下ヒンジ部６は、扉２の左右両側のそれぞれの下側に配置されると共に冷蔵庫本体１に取り付けられる支持部材６１と、この支持部材６１と扉２とを相対的に回転可能に連結するピン部６２とを備える。
【００３１】
上記扉２は、左右両側のそれぞれの下部に孔部を有し、支持部材６１は、扉２の下部の孔部に重なる孔部を有する。ピン部６２は、ピン部６２の軸方向の中央部に、鍔部６２ａを有する。
【００３２】
上記ピン部６２の両端部は、それぞれ、扉２の下部の孔部と、支持部材６１の孔部とに挿入される。ピン部６２の鍔部６２ａは、扉２の下面と支持部材６１との間に挟まれる。ピン部６２は、扉２と支持部材６１とに離脱自在に取り付けられる。なお、図２Ｂでは、扉２を省略して描いており、ピン部６２は、右側の支持部材６１に差し込まれている。
【００３３】
上記ヒンジピン４が上記扉２の取付孔２０に差し込まれた状態で、扉２とヒンジピン４は、ヒンジピン４の軸Ｌ回り方向に相互に位置決めされている。具体的に述べると、ヒンジピン４の先端部は、Ｄカット加工を施され、扉２の取付孔２０は、ヒンジピン４の先端部に対応する形状に形成されている。このように、簡単な構成で、ヒンジピン４と取付孔２０とを嵌合することができる。
【００３４】
上記扉引き込みバネ７Ａ，７Ｂは、冷蔵庫本体１の上部の左右両側に、取り付けられている。左右の扉引き込みバネ７Ａ，７Ｂは、左右対称に形成されている。扉引き込みバネ７Ａ，７Ｂは、ヒンジピン４に対して、扉２を閉じる方向のモーメントを付与する。
【００３５】
図１と図３Ａと図３Ｂに示すように、上記ヒンジ保持部材３は、保持係止部３１を有する。上記ヒンジピン４は、ピン係止部４１を有する。上記扉引き込みバネ７Ａは、板バネ部７１を有する。
【００３６】
上記ピン係止部４１は、外鍔であり、平面視、真円を一部切り欠いた略Ｄ字状に形成されている。ピン係止部４１は、保持係止部３１よりも下側に位置する。
【００３７】
上記板バネ部７１は、略Ｌ字状に形成され、この角が外方に張り出している。板バネ部７１の一端は、冷蔵庫本体１に固定された固定端であり、板バネ部７１の他端は、自由端であって、ピン係止部４１の外周面に接触する。板バネ部７１は、保持係止部３１よりも下側に位置する。
【００３８】
図３Ａに示すように、上記扉２の閉状態では、ピン係止部４１は、ヒンジピン４の軸Ｌ方向からみて、保持係止部３１に重ならない。このため、ヒンジピン４をヒンジ保持部材３から上側へ抜き取ることができる。したがって、扉２の閉状態で、ヒンジピン４を扉２の左右に付け替えて、容易に扉２の左右開きを変更することができる。
【００３９】
また、上記板バネ部７１の自由端は、ピン係止部４１の真円の切り欠き部分に接触している。このとき、板バネ部７１は、ピン係止部４１の径の小さな部分に接触し、板バネ部７１は、略自由状態となっている。つまり、板バネ部７１がヒンジピン４に付与する扉閉方向のモーメントは、略ゼロとなる。
【００４０】
このため、上記扉２の閉状態で、上記ヒンジピン４には、扉引き込みバネ７Ａの抵抗を受けない。したがって、扉２の閉状態で、ヒンジピン４を扉２の左右に付け替えるときに、付け替え時の作業性が良好となる。
【００４１】
図３Ｂに示すように、上記扉２を開けていくと、ヒンジピン４は、扉２の回転に追従（連動）して、ヒンジピン４の軸Ｌ回りに回転し、ピン係止部４１は、ヒンジピン４の軸Ｌ方向からみて、保持係止部３１に重なる。このため、ヒンジピン４を上側へ移動させると、ピン係止部４１が保持係止部３１に接触して、ヒンジピン４はヒンジ保持部材３から抜け止めされる。したがって、扉２の開状態では、ヒンジピン４は、ヒンジ保持部材３から抜き取ることができない。
【００４２】
また、上記板バネ部７１の自由端は、ピン係止部４１の真円部分に接触する。このとき、板バネ部７１は、ピン係止部４１の径の大きな部分に接触し、板バネ部７１は、冷蔵庫本体１の後方向（矢印Ａ方向）に弾性変形する。そして、板バネ部７１は、ヒンジピン４に対して、扉２を閉じる方向のモーメントを付与する。つまり、ヒンジピン４は、板バネ部７１から、ヒンジピン４の軸Ｌを中心として時計回り方向のモーメントを受ける。言い換えると、扉２の閉状態から開状態への移行時に板バネ部７１がヒンジピン４に付与する扉閉方向のモーメントは、扉２の閉状態に板バネ部７１がヒンジピン４に付与する扉閉方向のモーメントよりも、大きい。
【００４３】
図３Ｂでは、扉２の開度は、４５°である。この扉２の開度とは、扉２の閉状態を０°とした扉２の回転角度をいい、扉２を開けるにつれて大きくなる。扉２の開度を４５°より大きくしても、板バネ部７１が接触するピン係止部４１の真円部分は、同一径であるため、ヒンジピン４の軸Ｌからヒンジピン４の板バネ部７１との接点までの距離は、一定となる。これによって、板バネ部７１がヒンジピン４に付与する扉閉方向のモーメントは、一定となる。
【００４４】
上記構成の冷蔵庫によれば、上記扉引き込みバネ７Ａを有するので、扉２を自発的に閉じることができて、ユーザの扉２を閉じる力が弱くても、扉２を確実かつ容易に閉じることができる。
【００４５】
また、上記扉引き込みバネ７Ａは、ヒンジピン４に対して、扉２を閉じる方向のモーメントを付与するので、扉２が、経年などによって、ねじれて変形して、扉２に設けられた磁石が冷蔵庫本体１から離隔し、この磁石の冷蔵庫本体１に対する磁力が弱くなっても、扉２の密閉不良を低減できる。
【００４６】
また、上記扉２の閉状態から開状態への移行時の扉引き込みバネ７Ａのモーメントは、扉２の閉状態の扉引き込みバネ７Ａのモーメントよりも、大きいので、扉２の閉状態を保持できる。
【００４７】
（第２の実施形態）
図４Ａ〜図４Ｅは、この発明の第２実施形態の冷蔵庫を示す要部拡大図である。この第２の実施形態は、上記第１の実施形態とは、ヒンジピンのピン係止部の構成のみが相違する。この相違する構成のみを以下に説明する。
【００４８】
なお、この第２の実施形態において、上記第１の実施形態と同一の符号は、上記第１の実施形態と同じ構成であるため、その説明を省略する。
【００４９】
図４Ａに示すように、ヒンジピン４Ａのピン係止部４１Ａは、楕円の短径側の一部を切り欠いた形状に、形成されている。つまり、ピン係止部４１Ａは、左右対称に形成されている。
【００５０】
上記扉２の閉状態では、ピン係止部４１Ａは、ヒンジピン４Ａの軸Ｌ方向からみて、保持係止部３１に重ならない。板バネ部７１は、ピン係止部４１Ａの楕円の切り欠き部分に接触している。このとき、板バネ部７１がヒンジピン４Ａに付与する扉閉方向のモーメントは、略ゼロとなる。
【００５１】
図４Ｂに示すように、上記扉２の開度を１５°とすると、ヒンジピン４Ａは、扉２の回転に追従して、ヒンジピン４Ａの軸Ｌ回りに回転し、ピン係止部４１Ａは、ヒンジピン４Ａの軸Ｌ方向からみて、保持係止部３１に重なる。
【００５２】
上記板バネ部７１は、ピン係止部４１Ａの楕円部分に接触する。このとき、板バネ部７１は、冷蔵庫本体１の後方向に弾性変形する。そして、板バネ部７１は、ヒンジピン４Ａに対して、扉閉方向のモーメントを付与する。
【００５３】
図４Ｃに示すように、上記扉２の開度を４５°とすると、板バネ部７１は、ピン係止部４１Ａの楕円の長径部分に接触する。このとき、板バネ部７１は、冷蔵庫本体１の後方向に最も大きく弾性変形する。そして、板バネ部７１は、ヒンジピン４Ａに対して、最も大きな扉閉方向のモーメントを付与する。
【００５４】
図４Ｄに示すように、上記扉２の開度を９０°とすると、板バネ部７１は、ピン係止部４１Ａの楕円の長径と短径の間の部分に接触する。このとき、板バネ部７１は、冷蔵庫本体１の後方向に弾性変形して、板バネ部７１は、ヒンジピン４Ａに対して、扉閉方向のモーメントを付与する。
【００５５】
図４Ｅに示すように、上記扉２の開度を１３５°とすると、板バネ部７１は、ピン係止部４１Ａの楕円の短径部分に接触する。このとき、板バネ部７１は、冷蔵庫本体１の後方向に弾性変形して、板バネ部７１は、ヒンジピン４Ａに対して、扉閉方向のモーメントを付与する。
【００５６】
この実施形態の冷蔵庫によれば、上記ヒンジピン４Ａの軸Ｌからヒンジピン４Ａの扉引き込みバネ７Ａ（板バネ部７１）との接点までの距離は、扉２の開度が０°から４５°（第１角度）まで変化するに従って、大きくなる。
【００５７】
これによって、上記扉２の開度が０°から４５°まで大きくなるに従って、ヒンジピン４Ａに付与する扉引き込みバネ７Ａのモーメントを大きくできる。したがって、扉２の開度が大きくて扉２を閉じにくい状態で、扉２を容易に閉じることができる。
【００５８】
また、上記ヒンジピン４Ａの軸Ｌからヒンジピン４Ａの扉引き込みバネ７Ａ（板バネ部７１）との接点までの距離は、扉２の開度が４５°（第１角度）から１３５°（第２角度まで変化するに従って、小さくなる。
【００５９】
これによって、上記扉２の開度が４５°から１３５°まで大きくなるに従って、ヒンジピン４Ａに付与する扉引き込みバネ７Ａのモーメントを小さくできる。したがって、扉２の開度が４５°から１３５°までの範囲で、扉２の開状態を保持できて、食品の出し入れを容易に行うことができる。
【００６０】
（第３の実施形態）
図５Ａ〜図５Ｅは、この発明の第３実施形態の冷蔵庫を示す要部拡大図である。この第３の実施形態は、上記第１の実施形態とは、ヒンジピンのピン係止部の構成のみが相違する。この相違する構成のみを以下に説明する。
【００６１】
なお、この第３の実施形態において、上記第１の実施形態と同一の符号は、上記第１の実施形態と同じ構成であるため、その説明を省略する。
【００６２】
図５Ａに示すように、ヒンジピン４Ｂのピン係止部４１Ｂは、楕円の長径と短径の間の一部を切り欠いた形状に、形成されている。つまり、ピン係止部４１Ｂは、左右非対称に形成されている。
【００６３】
上記扉２の閉状態では、ピン係止部４１Ｂは、ヒンジピン４Ｂの軸Ｌ方向からみて、保持係止部３１に重ならない。板バネ部７１は、ピン係止部４１Ｂの楕円の切り欠き部分に接触している。このとき、板バネ部７１がヒンジピン４Ｂに付与する扉閉方向のモーメントは、略ゼロとなる。
【００６４】
図５Ｂに示すように、上記扉２の開度を１５°とすると、ヒンジピン４Ｂは、扉２の回転に追従して、ヒンジピン４Ｂの軸Ｌ回りに回転し、ピン係止部４１Ｂは、ヒンジピン４Ｂの軸Ｌ方向からみて、保持係止部３１に重なる。
【００６５】
上記板バネ部７１は、ピン係止部４１Ｂの楕円の短径部分に接触する。このとき、板バネ部７１は、冷蔵庫本体１の後方向に弾性変形する。そして、板バネ部７１は、ヒンジピン４Ｂに対して、扉閉方向のモーメントを付与する。
【００６６】
図５Ｃに示すように、上記扉２の開度を４５°とすると、板バネ部７１は、ピン係止部４１Ｂの楕円の短径と長径の間の部分に接触する。このとき、板バネ部７１は、冷蔵庫本体１の後方向に弾性変形する。そして、板バネ部７１は、ヒンジピン４Ｂに対して、扉閉方向のモーメントを付与する。
【００６７】
図５Ｄに示すように、上記扉２の開度を９０°とすると、板バネ部７１は、ピン係止部４１Ｂの楕円の長径部分に接触する。このとき、板バネ部７１は、冷蔵庫本体１の後方向に最も大きく弾性変形して、板バネ部７１は、ヒンジピン４Ｂに対して、最も大きな扉閉方向のモーメントを付与する。
【００６８】
図５Ｅに示すように、上記扉２の開度を１３５°とすると、板バネ部７１は、ピン係止部４１Ｂの楕円の長径と短径の間の部分に接触する。このとき、板バネ部７１は、冷蔵庫本体１の後方向に弾性変形して、板バネ部７１は、ヒンジピン４Ｂに対して、扉閉方向のモーメントを付与する。
【００６９】
この実施形態の冷蔵庫によれば、上記ヒンジピン４Ｂの軸Ｌからヒンジピン４Ｂの扉引き込みバネ７Ａ（板バネ部７１）との接点までの距離は、扉２の開度が０°から９０°（第１角度）まで変化するに従って、大きくなる。
【００７０】
これによって、上記扉２の開度が０°から９０°まで大きくなるに従って、ヒンジピン４Ｂに付与する扉引き込みバネ７Ａのモーメントを大きくできる。したがって、扉２の開度が大きくて扉２を閉じにくい状態で、扉２を容易に閉じることができる。
【００７１】
また、上記ヒンジピン４Ｂの軸Ｌからヒンジピン４Ｂの扉引き込みバネ７Ａ（板バネ部７１）との接点までの距離は、扉２の開度が９０°（第１角度）から１３５°（第２角度まで変化するに従って、小さくなる。
【００７２】
これによって、上記扉２の開度が９０°から１３５°まで大きくなるに従って、ヒンジピン４Ｂに付与する扉引き込みバネ７Ａのモーメントを小さくできる。したがって、扉２の開度が９０°から１３５°までの範囲で、扉２の開状態を保持できて、食品の出し入れを容易に行うことができる。
【００７３】
なお、この発明は上述の実施形態に限定されない。例えば、上記第１から上記第３の実施形態のそれぞれの特徴点を様々に組み合わせてもよい。
【００７４】
また、上記扉引き込みバネの形状や上記ヒンジピンの形状は、扉引き込みバネが、ヒンジピンに対して、扉閉方向のモーメントを付与するような形状であれば、どのようなものであってもよい。
【００７５】
また、上記扉引き込みバネを一つとし、この扉引き込みバネを、冷蔵庫本体の左右両側に、択一的に取り付けるようにしてもよい。
【００７６】
また、扉の開度が０°から第１角度まで変化するに従って、扉閉方向のモーメントが大きくなるようにし、かつ、扉の開度が第１角度から第２角度まで変化するに従って、扉閉方向のモーメントが一定となるようにしてもよい。
【００７７】
また、扉の開度が０°から第１角度まで変化するに従って、扉閉方向のモーメントが一定となるようにし、かつ、扉の開度が第１角度から第２角度まで変化するに従って、扉閉方向のモーメントが小さくなるようにしてもよい。
【符号の説明】
【００７８】
１  冷蔵庫本体
２  扉
２０  取付孔
３  ヒンジ保持部材
３０  貫通孔
３１  保持係止部
４，４Ａ，４Ｂ  ヒンジピン
４１，４１Ａ，４１Ｂ  ピン係止部
５  カバー部材
６  下ヒンジ部
７Ａ，７Ｂ  扉引き込みバネ
７１  板バネ部
Ｌ  （ヒンジピンの）軸
【図１】
2014013109.tif 000003
【図２Ａ】
2014013109.tif 000004
【図２Ｂ】
2014013109.tif 000005
【図３Ａ】
2014013109.tif 000006
【図３Ｂ】
2014013109.tif 000007
【図４Ａ】
2014013109.tif 000008
【図４Ｂ】
2014013109.tif 000009
【図４Ｃ】
2014013109.tif 000010
【図４Ｄ】
2014013109.tif 000011
【図４Ｅ】
2014013109.tif 000012
【図５Ａ】
2014013109.tif 000013
【図５Ｂ】
2014013109.tif 000014
【図５Ｃ】
2014013109.tif 000015
【図５Ｄ】
2014013109.tif 000016
【図５Ｅ】
2014013109.tif 000017